【事件の表示】
　平成１１年特許願第３１８４２６号
「電子式識別システム」拒絶査定不服審判事件
〔平成１２年８月２２日出願公開、特開２０００−２３０９７８〕
について、次のとおり審決する。
【結　論】
　本件審判の請求は、成り立たない。
【理　由】
【１−本願に関する手続の経緯概要】
　本願に関する手続は、概略次のとおりである。
　
出願　　　　：平成１１年１１月　９日
　　　　　　（パリ条約による優先権主張、１９９８年１１月９日、
　　　　　　　　　　　　南アフリカ共和国出願９８−１０１９９）
翻訳文提出　：平成１１年１２月１４日
審査請求　　：平成１８年１１月　７日
手続補正　　：平成１８年１１月　７日
　　　　　　（特許請求の範囲の補正）
拒絶理由通知：平成２１年　３月３０日発送（同年同月２４日起案）
意見書提出　：平成２１年　６月２６日
手続補正　　：平成２１年　６月２６日
　　　　　　（特許請求の範囲及び明細書の補正）
拒絶査定　　：平成２２年　１月１２日送達（同年同月５日起案）
審判請求　　：平成２２年　５月１２日
手続補正　　：平成２２年　５月１２日
　　　　　　（特許請求の範囲の補正）
手続補正　　：平成２２年　６月２４日
　　　　　　（審判請求書の審判請求の理由の補正）
審尋　　　　：平成２３年　２月１４日発送（同年同月９日起案）
回答書提出　：平成２３年　８月１５日
　
　以下、平成２２年５月１２日付けの特許請求の範囲についての手続補正を本件補正という。
　
【２−原査定の拒絶の理由概要】
　原査定の拒絶の理由の概要は、本願各請求項に記載された発明は、いずれも、本願の優先日である１９９８年１１月９日、即ち平成１０年１１月９日より前に日本国内で頒布された刊行物である特開平４−２３２４８８号公報（発明の名称：無線識別及び追跡の方法及び装置、出願人： サヴィ・テクノロジー，インコーポレイテッド、公開日：平成４年８月２０日、以下、引用刊行物という）に記載された発明及び周知技術に基づいて、当業者が容易に発明をすることができたものであるから、特許法第２９条第２項の規定により特許を受けることができない、というものである。
　
【３−本件補正の適否、本願補正発明】
（３−１−本件補正前の特許請求の範囲）
　本件補正前の特許請求の範囲は、平成２１年６月２６日付け補正により補正されたとおりの次のものである。
「【特許請求の範囲】
【請求項１】
　一台の質問機と複数のトランスポンダとを備える電子身元確認システムであって、
　前記質問機は、
　前記トランスポンダに質問信号を送信するための送信手段を備え、
　各トランスポンダは、
　前記トランスポンダの特性を含む一意の署名を発生するための署名発生手段と、
　前記質問信号に応えて、前記署名を含む応答信号を間欠的に送信するための送信手段とを備え、
　前記質問機が、さらに、前記トランスポンダの中の一台から応答信号を受信した場合に、前記質問機の送信手段により送信される受信通知信号であって、一台のトランスポンダの前記一意の署名を含む受信通知信号を発生するための受信通知信号発生手段を備える電子身元確認システム。
【請求項２】
　請求項１に記載のシステムにおいて、前記トランスポンダの送信手段が前記応答信号で前記質問信号を後方散乱変調するための変調手段を備えるシステム。
【請求項３】
　請求項１又は請求項２に記載のシステムにおいて、各トランスポンダが、複数の前記間欠的な各応答信号の送信直後に、タイム・ウィンドウを発生するためのタイム・ウィンドウ発生手段と、前記タイム・ウィンドウ中に、前記各署名を含む受信通知信号を受信した場合に、トランスポンダを通常のモードから他のモードに切り換えるためのコントローラとを備えるシステム。
【請求項４】
　請求項３に記載のシステムにおいて、前記署名発生手段が、乱数発生器を備えるシステム。
【請求項５】
　請求項４に記載のシステムにおいて、該乱数発生器が、前記質問信号の最初の受信の後であって、複数の前記間欠的な応答信号の中の最初の間欠的な応答信号が送信される前に、遅延時間又はホールドオフ時間を決定するために動作することができるシステム。
【請求項６】
　請求項４又は請求項５に記載のシステムにおいて、前記乱数発生器が、前記間欠的な応答信号に対するランダムな反復周期を決定するために動作することができるシステム。
【請求項７】
　請求項４乃至請求項６の何れか１項に記載のシステムにおいて、前記乱数発生器が、前記トランスポンダの一部を形成するクロック周波数発生器のプログラム可能なディバイダに対するランダムな除数を間欠的に発生するように動作可能であり、該クロック周波数発生器は、前記トランスポンダに対してランダムに選択したクロック周波数を発生させるシステム。
【請求項８】
　前記請求項の何れか１項に記載のシステムにおいて、前記受信通知信号が、前記トランスポンダを通常の動作モードから他の複数のモードの中の選択した一つのモードに切り換えるためのコマンドを含むシステム。
【請求項９】
　複数のトランスポンダを備える電子身元確認システムと一緒に使用するための質問機であって、
　複数のトランスポンダへ質問信号を送信するための送信手段と、
　そこからの各トランスポンダの特性を含む署名を含む応答信号であって、複数のトランスポンダからの応答信号を受信するための受信手段と、
　受信した前記応答信号の中の少なくとも一つを処理し、また該複数のトランスポンダのうちの１つから応答信号を受信した場合に署名を含む受信通知信号を送信させるためのコントローラとを備える質問機。
【請求項１０】
　質問信号を受信するための受信手段と、
　前記トランスポンダの特性を含む署名を発生するための乱数発生手段と、
　前記質問信号に応えて、前記トランスポンダの特性を持つ前記署名を含む応答信号を送信するための送信手段と、
　署名を含む受信通知信号を受信した場合に、トランスポンダを、ある動作モードから他の動作モードに切り換えることができるコントローラとを備えるトランスポンダ。
【請求項１１】
　請求項１０に記載のトランスポンダにおいて、前記署名発生手段が、乱数発生器を備え、前記署名が一つの数字であるトランスポンダ。
【請求項１２】
　請求項１０又は請求項１１に記載のトランスポンダにおいて、前記トランスポンダが、前記応答信号の送信直後にタイム・ウィンドウを発生するためのタイム・ウィンドウ発生手段を備え、前記タイム・ウィンドウにおいて、前記トランスポンダが、前記受信通知信号を感知でき、応答することができるトランスポンダ。
【請求項１３】
　請求項１１および請求項１２に記載のトランスポンダにおいて、前記乱数発生器が、前記質問信号の最初の受信後であって、前記応答信号が送信される前に、ランダムな遅延時間又はホールドオフ時間を決定するために動作するトランスポンダ。
【請求項１４】
　請求項１１乃至請求項１３の何れか１項に記載のトランスポンダにおいて、前記乱数発生器が、前記応答信号のランダムな反復周期を決定するために動作するトランスポンダ。
【請求項１５】
　請求項１１乃至請求項１４の何れか１項に記載のトランスポンダにおいて、前記乱数発生器が、前記トランスポンダの一部を形成するクロック周波数発生器のプログラム可能なディバイダに対するランダムな除数を間欠的に発生するように動作可能であり、該クロック周波数発生器は、前記トランスポンダに対するランダムに選択したクロック周波数を発生させるトランスポンダ。
【請求項１６】
　請求項１５に記載のトランスポンダにおいて、前記乱数発生器が、前記トランスポンダの該クロック周波数発生器の該プログラム可能なディバイダに対する除数を選択的に発生するように動作するトランスポンダ。
【請求項１７】
　一台の質問機と、複数のトランスポンダを備える電子身元確認システムの動作方法であって、
　前記質問機から前記トランスポンダに質問信号を送信するステップと、
　前記トランスポンダに前記質問信号を受信させ、各トランスポンダに、トランスポンダの特性を含む各応答信号で、間欠的に応答させるステップと、
　前記質問機に、前記応答信号を受信させ、トランスポンダの中の少なくとも一つからの応答信号を処理させるステップと、
　前記質問機に、前記トランスポンダの中の少なくとも一台の署名を含む受信通知信号を送信させるステップとを含み、該受信通知信号は、該複数のトランスポンダのうちの１つから応答信号を受信した場合に生成され、
　受前記信通知信号を受信した場合、前記トランスポンダの中の少なくとも一台に、ある動作モードから他の動作モードに切り替えさせるステップとを含む方法。」
　
（３−２−本件補正後の特許請求の範囲）
　本件補正後の特許請求の範囲は、平成２２年５月１２日付け補正により補正されたとおりの次のものである。
「【特許請求の範囲】
【請求項１】
　一台の質問機と複数のトランスポンダとを備える電子身元確認システムであって、
　該質問機は、
　　該トランスポンダに質問信号を送信するための送信手段を備え、
　各トランスポンダは、
　　該トランスポンダの特性を含むランダムな署名を発生するための乱数発生手段と、
　　該質問信号に応えて、該ランダムな署名を含む応答信号を間欠的に送信するための送信手段とを備え、
　該質問機が、さらに、該トランスポンダの中の一台から応答信号を受信した場合に、該質問機の送信手段により送信される受信通知信号であって、一台のトランスポンダの該ランダムな署名を含む受信通知信号を発生し、それによって該一台のトランスポンダに該応答信号の受信を通知するための受信通知信号発生手段を備える電子身元確認システム。
【請求項２】
　請求項１に記載のシステムにおいて、該トランスポンダの送信手段が、該応答信号で該質問信号を後方散乱変調するための変調手段を備えるシステム。
【請求項３】
　請求項１又は請求項２に記載のシステムにおいて、各トランスポンダが、複数の該間欠的な各応答信号の送信直後に、タイム・ウィンドウを発生するためのタイム・ウィンドウ発生手段と、該タイム・ウィンドウ中に、該各署名を含む受信通知信号を受信した場合に、トランスポンダを通常のモードから他のモードに切り換えるためのコントローラとを備えるシステム。
【請求項４】
　請求項３に記載のシステムにおいて、該乱数発生手段が、乱数発生器を備えるシステム。
【請求項５】
　請求項４に記載のシステムにおいて、該乱数発生器が、該質問信号の最初の受信の後であって、複数の該間欠的な応答信号の中の最初の間欠的な応答信号が送信される前に、ランダムな遅延時間又はホールドオフ時間を決定するために動作することができるシステム。
【請求項６】
　請求項４又は請求項５に記載のシステムにおいて、該乱数発生器が、該間欠的な応答信号に対するランダムな反復周期を決定するために動作することができるシステム。
【請求項７】
　請求項４乃至請求項６の何れか１項に記載のシステムにおいて、該乱数発生器が、該トランスポンダの一部を形成するクロック周波数発生器のプログラム可能なディバイダに対するランダムな除数を間欠的に発生するように動作可能であり、該クロック周波数発生器は、該トランスポンダに対してランダムに選択したクロック周波数を選択的に発生させるシステム。
【請求項８】
　該請求項の何れか１項に記載のシステムにおいて、該受信通知信号が、該トランスポンダを通常の動作モードから他の複数のモードの中の選択した一つのモードに切り換えるためのコマンドを含むシステム。
【請求項９】
　複数のトランスポンダを備える電子身元確認システムと一緒に使用するための質問機であって、
　複数のトランスポンダへ質問信号を送信するための送信手段と、
　各トランスポンダからの各トランスポンダの特性を含む署名を含む応答信号であって、複数のトランスポンダからの応答信号を受信するための受信手段とを含み、該署名は、それぞれの該トランスポンダによって生成される１つの乱数であり、該質問機はさらに、
　受信した該応答信号の中の少なくとも一つを処理し、また該複数のトランスポンダのうちの１つから応答信号を受信した場合に署名を含む受信通知信号を送信させるためのコントローラとを備える質問機。
【請求項１０】
　トランスポンダであって、
　質問信号を受信するための受信手段と、
　該トランスポンダの特性を含むランダムな署名を発生するための乱数発生手段と、
　該質問信号に応えて、該トランスポンダの特性を持つ該ランダムな署名を含む応答信号を送信するための送信手段と、
　該ランダムな署名を含む受信通知信号を受信した場合に、該トランスポンダを、ある動作モードから他の動作モードに切り換えることができるコントローラとを備え、該受信通知信号は、該応答信号を受信した場合に生成されるトランスポンダ。
【請求項１１】
　請求項１０に記載のトランスポンダにおいて、該乱数発生手段が、乱数発生器を備え、該署名が一つの数字であるトランスポンダ。
【請求項１２】
　請求項１０又は請求項１１に記載のトランスポンダにおいて、該トランスポンダが、該応答信号の送信直後にタイム・ウィンドウを発生するためのタイム・ウィンドウ発生手段を備え、該タイム・ウィンドウにおいて、該トランスポンダが、該受信通知信号を感知でき、応答することができるトランスポンダ。
【請求項１３】
　請求項１１又は請求項１２に記載のトランスポンダにおいて、該乱数発生器が、該質問信号の最初の受信後であって、該応答信号が送信される前に、ランダムな遅延時間又はホールドオフ時間を決定するために動作するトランスポンダ。
【請求項１４】
　請求項１１乃至請求項１３の何れか１項に記載のトランスポンダにおいて、該乱数発生器が、該応答信号のランダムな反復周期を決定するために動作するトランスポンダ。
【請求項１５】
　請求項１１乃至請求項１４の何れか１項に記載のトランスポンダにおいて、該乱数発生器が、該トランスポンダの一部を形成するクロック周波数発生器のプログラム可能なディバイダに対するランダムな除数を間欠的に発生するように動作可能であり、該クロック周波数発生器は、該トランスポンダに対するランダムに選択したクロック周波数を選択的に発生させるトランスポンダ。
【請求項１６】
　請求項１５に記載のトランスポンダにおいて、該乱数発生器が、該トランスポンダの該クロック周波数発生器の該プログラム可能なディバイダに対する除数を選択的に発生するように動作するトランスポンダ。
【請求項１７】
　一台の質問機と、複数のトランスポンダを備える電子身元確認システムの動作方法であって、
　該質問機から該トランスポンダに質問信号を送信するステップと、
　該トランスポンダに該質問信号を受信させ、各トランスポンダに、トランスポンダの特性に関する署名を含む各応答信号で、間欠的に応答させるステップとを含み、該トランスポンダの特性に関する署名は、該各トランスポンダによって生成されるランダムな署名であり、該方法は、さらに、
　該質問機に、該応答信号を受信させ、トランスポンダの中の少なくとも一つからの応答信号を処理させるステップと、
　該質問機に、該トランスポンダの中の少なくとも一台の該ランダムな署名を含む受信通知信号を送信させるステップとを含み、該受信通知信号は、該複数のトランスポンダのうちの１つから応答信号を受信した場合に生成され、
　受該信通知信号を受信した場合、該トランスポンダの中の少なくとも一台に、ある動作モードから他の動作モードに切り替えさせるステップとを含む方法。」
　
（３−３−本件補正の内容について）
　本件補正に関し、まず、本件補正前後の請求項１について、実質的な発明特定事項の補正箇所を比較する。
　第１に、本件補正前請求項１の「一意の署名を発生するための署名発生手段」が、本件補正後請求項１では「ランダムな署名を発生するための乱数発生手段」に補正されている。
　第２に、本件補正前請求項１の「前記署名を含む応答信号を間欠的に送信するための送信手段」が、本件補正後請求項１では「該ランダムな署名を含む応答信号を間欠的に送信するための送信手段」に補正されている。
　第３に、本件補正前請求項１の「前記一意の署名を含む受信通知信号を発生するための受信通知信号発生手段」が、本件補正後請求項１では「該ランダムな署名を含む受信通知信号を発生し、それによって該一台のトランスポンダに該応答信号の受信を通知するための受信通知信号発生手段」に補正されている。
　上記第１、２、３の補正事項を総合すると、結局、本件補正前請求項１の発明の「一意の署名」が具体化されたものが、本件補正後請求項１の発明の「ランダムな署名」であって、本件補正前請求項１の発明の「署名発生手段」として具体化されたものが、本件補正後請求項１の発明の「乱数発生手段」であると見て取れる。
　
　本件補正前後の請求項２、３については、実質的な発明特定事項の補正箇所は無い。
　
　本件補正前後の請求項４の実質的な補正について検討すると、「署名発生手段」が「乱数発生手段」に補正されているが、本件補正前請求項４の発明の「署名発生手段」として具体化されたものが、本件補正後請求項４の発明の「乱数発生手段」であると見て取れる。
　
　本件補正前後の請求項５の実質的な補正について検討すると、「遅延時間」を「ランダムな遅延時間」と限定する補正が成されている。
　
  本件補正前後の請求項６については、実質的な発明特定事項の補正箇所は無い。
　
  本件補正前後の請求項７の実質的な補正について検討すると、「トランスポンダに対してランダムに選択したクロック周波数を発生させるシステム」を「トランスポンダに対してランダムに選択したクロック周波数を選択的に発生させるシステム」と一応限定する補正が成されている。
　
　本件補正前後の請求項９の実質的な補正について検討すると、「署名」に関し「それぞれの該トランスポンダによって生成される１つの乱数」であることを限定する補正が成されている。
　
　本件補正前後の請求項１０の実質的な補正について検討すると、「署名」に関し「ランダムな署名」であることを限定する補正が成され、さらに、「受信通知信号」に関し「応答信号を受信した場合に生成される」ことを限定する補正が成されている。
　
　本件補正前後の請求項１１の実質的な補正について検討すると、「署名発生手段」が「乱数発生手段」に補正されているが、本件補正前請求項１１の発明の「署名発生手段」として具体化されたものが、本件補正後請求項１１の発明の「乱数発生手段」であると見て取れる。
　
　本件補正前後の請求項１２、１３、１４については、実質的な発明特定事項の補正箇所は無い。
　
　本件補正前後の請求項１５の実質的な補正について検討すると、「トランスポンダに対するランダムに選択したクロック周波数を発生させるトランスポンダ」を「トランスポンダに対するランダムに選択したクロック周波数を選択的に発生させるトランスポンダ」と一応限定する補正が成されている。
　
　本件補正前後の請求項１６については、実質的な発明特定事項の補正箇所は無い。
　
　本件補正前後の請求項１７の実質的な補正について検討すると、「トランスポンダの特性を含む各応答信号」に関し、「トランスポンダの特性に関する署名を含む各応答信号」でさらに「トランスポンダの特性に関する署名」が「各トランスポンダによって生成されるランダムな署名」であることを限定する補正が成され、また「トランスポンダの中の少なくとも一台の署名を含む受信通知信号」に関し、「トランスポンダの中の少なくとも一台の該ランダムな署名を含む受信通知信号」であると限定する補正が成されている。
　
（３−４−本件補正の目的）
　結局、全体として見ると、本件補正は、実質的に特許請求の範囲を減縮することを目的としたものといえる。
　
（３−５−本願補正発明−独立特許要件）
　そこで、本件補正によって補正された特許請求の範囲の請求項１に係る発明（以下、本願補正発明という）が、独立して特許を受けることができるか否か、以下に検討する。
　
（３−５−１−引用刊行物に記載された事項）
　原査定の拒絶の理由に引用された刊行物である特開平４−２３２４８８号（引き続き、引用刊行物という）には、次の事項が図面とともに記載されている。
「【特許請求の範囲】
【請求項１】
　項目を識別し追跡するための方法であって：
　追跡される各項目に送受信機タグを関連づけるステップと；
　質問信号を送受信機タグに送信するステップと；
　送受信機タグによる通信信号の受信に応答して送受信機タグからの識別信号を選択的に送信するステップと；
　識別信号を受信するステップと；
　識別信号の受信に応答して確認信号を送信するステップと；
　確認信号の受信に応答して送受信機タグから別の識別信号を送信するステップと；
　から成ることを特徴とする方法。
【請求項２】
　送受信モードが電磁波によることを特徴とする、請求項１に記載の方法。
【請求項３】
　送受信モードが音響波によることを特徴とする、請求項１に記載の方法。
【請求項４】
　タグを項目に関連づけるステップが、さらに、タグを各項目に付加するステップから成ることを特徴とする、請求項１に記載の方法。
【請求項５】
　質問信号が変調ＶＨＦ信号であることを特徴とする、請求項１に記載の方法。
【請求項６】
　ＶＨＦ信号が、約２５ｋＨｚ帯域幅の信号により変調されることを特徴とする、請求項５に記載の方法。
【請求項７】
　質問信号が、中央質問送受信機サブシステムにより送信されることを特徴とする、請求項１に記載の方法。
【請求項８】
　通信信号の受信範囲内の全てのタグが識別信号を送信することを特徴とする、請求項１に記載の方法。
【請求項９】
　選択的に識別信号を送信するステップが、さらに、識別信号の送信開始を質問信号の受信後に特定の時間量だけ遅延させるステップから成ることを特徴とする、請求項１に記載の方法。
【請求項１０】
　特定の時間量が偽ランダム法により決定されることを特徴とする、請求項９に記載の方法。
【請求項１１】
　時間量を決定する偽ランダム法が、各タグに関連する固有識別番号により決定されることを特徴とする、請求項１０に記載の方法。
【請求項１２】
　識別信号の受信が質問送受信機サブシステムにより実行されることを特徴とする、請求項１に記載の方法。
【請求項１３】
　確認信号が、質問送受信機サブシステムにより送信されることを特徴とする、請求項１に記載の方法。
【請求項１４】
　識別信号が、各タグに関連する固有識別番号に対応することを特徴とする、請求項１に記載の方法。
【請求項１５】
　確認信号が、確認信号が附属するタグに関連する固有識別番号に応答することを特徴とする、請求項１に記載の方法。
【請求項１６】
　項目を識別し追跡するための装置であって：
　項目に固定された複数の送受信機タグと；
　送受信機タグと通信し、選択されたタグからの識別信号の送信を起動して識別信号を送るタグを識別する能力を有する質問送受信機サブシステムと；
　から成ることを特徴とする装置。
【請求項１７】
　送受信機タグが、質問送受信機サブシステムからのウェークアップ信号により起動されるまで低電力スタンバイモードに保持されることを特徴とする、請求項１６に記載の装置。
【請求項１８】
　識別信号の起動が、質問送受信機サブシステムからの起動信号の送受信機タグによる受信に応答することを特徴とする、請求項１６に記載の装置。
【請求項１９】
　各タグからの識別信号が固有であることを特徴とする、請求項１６に記載の装置。
【請求項２０】
　各送受信機タグが、標準超再生受信機に電子的に連結されたＭＥＳＦＥＴ前置回路を備えた受信サブシステムからなることを特徴とする、請求項１６に記載の装置。
【請求項２１】
　タグ送受信機がマイクロプロセッサにより制御されることを特徴とする、請求項１７に記載の装置。
【請求項２２】
　電力ストローブ回路が、周期的に信号をマイクロプロセッサに送り、低電力スタンバイ動作を起動することを特徴とする、請求項２１に記載の装置。
【請求項２３】
　さらに、２又はそれ以上の送受信機タグからの同時識別送信に依拠する通信損失を防止するためのプロトコル信号制御手段を含むことを特徴とする、請求項２１に記載の装置。
【請求項２４】
　プロトコル手段が、反復して、特定タグからの識別情報の受信の肯定応答を受け、全ての応答タグが識別されるまで、残りのタグに識別送信を再送信することを要求することを特徴とする、請求項２３に記載の装置。
【請求項２５】
　プロトコル手段が、さらに、プロトコル手段が再送信を要求する信号を送った後に特定の時間周期の間、各タグを保持することにより、識別送信を遅らせるための手段を送受信機タグ内に備えていることを特徴とする、請求項２４に記載の装置。
【請求項２６】
　特定の時間周期が各残りタグに関してことなり、偽ランダム法により決定されることを特徴とする、請求項２５に記載の装置。
【請求項２７】
　線形再帰シーケンス発生器が各タグに関して偽ランダム時間周期を提供することを特徴とする、請求項２６に記載の装置。
【請求項２８】
　各タグに組み込まれた識別コードが、再帰シーケンス装置により用いられて、偽ランダム時間周期を発生させることを特徴とする、請求項２７に記載の装置。
【請求項２９】
　さらに、送受信機タグの位置を決定するための手段を備えていることを特徴とする、請求項１６に記載の装置。
【発明の詳細な説明】
【０００１】
【産業上の利用分野】
　本発明は、物理対象を追跡し識別するための装置及び方法に関し、特に、一体型無線周波数受信機を備えた製品タグを用いた無線周波数識別及び追跡システムに関する。
【０００２】
【従来の技術及びその課題】
　各種環境内の物理対象の識別及び追跡を目的とした多くのシステムが知られている。例えば、(1)光学式バーコードリーダが製品移動を追跡するためにスーパーマーケットなどで通常用いられる。(2)光学式文字認識システムがいくつかの目的のためにいくつかのデパートで用いられる。(3)磁気帯リーダが自動対話型マシン内で銀行カードを識別するために通常用いられる。(4)高度セキュリティシステムでは人間を識別するために肉声識別を用いている。(5)無線周波数識別（ＲＦ／ＩＤ）は自動認識及び追跡に関して別のアプローチを提供する。
【０００３】
　歴史的には、ＲＦ／ＩＤは２つの無線通信技術の１つのとして用いられてきた。システムの１つのタイプは受動ＲＦ反射器であり、他のタイプは磁気カプラを用いるものである。
【０００４】
　受動システムにおいては、ＲＦ反射「タグ」が識別又は追跡されるタグ製品に固定されている。製品がＲＦ源の十分な範囲内に位置決めされると、タグが照射ＲＦエネルギーにより励起される。照射されたタグはＲＦの一部を受信機に戻し、処理中にＲＦのいくつかのアスペクトが修正される。製品は、入射ＲＦエネルギーが反射時に修正を受ける、その仕方により識別される。
【０００５】
　従来技術の受動反射器にはいくつかの固有の限界がある。結果として得られるＳ／Ｎ比は、照射ＲＦ源、反射器の配置及び変調及び反射プロセスの効率に依存している。従って、識別信号は、照射信号よりも概ね弱く（例えば、１００ｄＢ弱く）なるのが通常である。そのため、限定された範囲で作業を行うプロセスにおいては、非常に強い照射信号が必要である。従って、受動反射器システムは、合理的な範囲を達成するために、全方向照射よりも指向性照射を必要とする。全方向照射は一般的に、照射源に対するタグの位置を事前に知る必要がないので、好ましい。
【０００６】
　さらに、受動反射器の通信プロセスは基本的には一方通行である。照射の目的はタグに対して情報を伝達することではなく、エネルギーを活性するソースを提供することである。好適な識別が行われたかを確認するための、製品タグと中央システムとの間の「ハンドシェーク方式」の方法は存在しない。
【０００７】
　従来技術の受動反射器タグの第３の不利益は、動的にデータを格納する性能を有しないことである。かかるシステムの質問機は、タグによる最近の再伝送に関するタグに動的にデータを書き込むための手段を備えていない。結果的に、タグは添付項目に関する単なる静的な識別子となる。かかるタグは、タグの動的環境に好適なように特性を変更する能力を欠いている。
【０００８】
　磁気カップリングを用いたシステムにおいては、無線タグは、磁界を通る運動により励起されて、励起されたタグは、磁気的に接続されたエネルギーを質問機装置に戻す。誘導コイルにより生じた変更磁界は、このシステムの必須の励起磁界を発生させるために用いられる。この通信は典型的には超長波（ＶＬＦ）で伝送される。
【０００９】
　磁気的にカプリングされた無線タグは必然的に狭い範囲の通信に限定される。これはＶＬＦ周波数での（タグの寸法に必然的に伴う）小さなループアンテナのカプリングの非能率に依存する。
【００１０】
【課題を解決するための手段】
　従来技術ＲＦ／ＩＤの限界を克服するために、本発明の方法及び装置は、タグの終端及びシステムの質問の終端の両方において、無線周波数の受信及び送信の能力を含んでいる。本発明においては、活性光学式、赤外線式、紫外線式、磁気式及び音響式媒体を介した通信を採用可能である。本発明の方法及び装置は、タグを付けられた項目からの収集情報の受信を確認するためにハンドシェーク方式を用いる。本発明によれば、空間的、偏波、時間及び周波数ダイバーシチ方法が無線タグ環境におけるマルチパス又は複数装置インタフェースの限界を克服するために用いることが可能である。本発明の方法及び装置は、前記タグの位置決めを助けるために、意識的セル通信範囲制限を用いる。本発明によれば、ＭＥＳＦＥＴ前置回路が超再生受信機に接続される。この電子回路構成により、超再生受信機に通常関連する干渉を概ね減じ、密接に関連した無線タグの密集環境内で廉価な超再生受信機技術を用いることが可能になる。本発明によれば、意識的放射のいくつかの特性（例えば、移送、到着時間、到着角度）を、セル内の質問機に関連するタグの位置を決定するために用いることができる。本発明の方法及び装置は、個々のタグからの信号が質問の終端において時間一致するように状況を取り扱うことにより通信の強さを増加させることが可能である。
【００１１】
【実施例】
　図１には、本発明に基づく装置のブロック図が示されている。２つの主なサブシステムは、タグ送受信機サブシステム８、１２０、１３０、１４０及び質問機サブシステム７の装置からなる。タグ送受信機サブシステム８は、質問機７からの信号１０を捕捉して復調するための受信機１と、質問機７に戻される信号９９を復調し放射するための送信機３からなる。さらに、このタグは、受信信号からのデータを処理して、通信を確認するための一括収集プロトコルを提供し、送信機３を制御するためのマイクロコンピュータ２と；電源６と；光学式表示装置５と；微電力ウェークアップ回路４からなる。ウェークアップ回路４は、所定のウェークアップ信号を受け取るまで、非常に低い電力状態にタグを保持する。表示装置５は、識別又は追跡処理についての状況情報を提供するため、又はＲＦタグ１を見ている構成員に他の情報を表示するために用いられる。
【００１２】
　図２に示されるように、複数の質問機が配置されて、セル受信環境を作成するためにネットワークを構成している。各セル１５、１２、１３、１４に配置された質問機１０、１０１、１０２、１０３は、従来の設計のネットワーク１１０（有線、光ファイバ、無線リンクなど）を介してコンピュータ１１と、さらにその質問機の通信せる内に配置された全ての無線タグと通信を行う。セル１２、１３、１４、１５は、それぞれ質問機１０１、１０２、１０３、１０を中心とする半径内に対応している。施設の周りに戦略的に配置されたこれらの質問機通信のアレイは、施設内に配置された全てのタグとの通信するために必要な通信構造を提供する。各タグから識別信号を受信すると、対応する質問機が識別コードを監視コンピュータに通信し、それによりタグを識別するだけでなく、タグの大体の位置を識別する。位置情報ではなく、識別情報だけを必要とする場合には、本発明によれば、コンピュータ１１又はネットワーク１１０なしに単一のセルシステムを用いることが可能である。
【００１３】
　図１及び図３に関して、本発明によれば、いかなる種類の受信機及び送信機（例えば、赤外線式、音響式、無線周波数式、光学式、磁気式など）でも使用可能である。好適な実施例では、ＶＨＦのＲＦが使用される。受信機モジュール１は、ＭＥＳＦＥＴ前置回路２１に連結された従来の超再生受信機２２からなり、従来のオン／オフキー付きＡＭ送信機３が用いられる。また、処理速度がデータを処理し、必要な一括収集プロトコルを実行するに十分であれば、いかなる種類のマクロコンピュータ２を使用することも可能である。好適な実施例では、８ビットマクロコンピュータが採用される。
【００１４】
　好適な実施例では、タグ受信機１は修正超再生受信機である。修正が図３に示されており、標準仕様の超再生受信機２２の前にＦＥＴ前置回路（電界効果トランジスタ）が加えられている。ＦＥＴ前置回路を使用せずに、超再生受信機は直接接続されたアンテナを介して環境に無線信号（ノイズ）を戻し、他の近接されたタグの受信能力とインタフェースする。ＦＥＴ回路は極めて高い逆信号絶縁性能を有しており、ＦＥＴ前置回路を用いることで、ＲＦの漏れを減少させて、受信機からのエネルギーを抑えて、同時に受信機の感度を増加させる。結果として、本発明に基づくこの設計により、無線タグ通信の要求ネットワーク環境内で、超再生回路のような、廉価な受信機設計を用いることが可能になる。
【００１５】
　図１及び図４に関して、通常は小型のバッテリーである電源６の稼働寿命を増加させるために、タグサブシステム８内の受信機モジュール１は通常は、短い時間間隔を除いて全て静止低電力状態に保持される。タグサブシステム８内の受信機モジュール１が活動状態にある短い時間間隔の間、ウェークアップモジュール４からの励起電力により、質問機７から到着するウェークアップ信号の検出が可能になる。かかる信号が検出されない場合には、タグ受信機サブシステム８は、低電力状態に戻ることにより、スリープ／ウェークアップ周期を継続する。しかし、質問機７からのＲＦエネルギーが検出された場合には、タグサブシステム８は全電力モードに変更されて、通信機７との通信に備える。
【００１６】
　図１及び図４に関して、好適な実施例においては、微電力ウェークアップ回路４は、受信機にエネルギーをストローブするために極めて低いドレーンの非安定発信器を用いる。ウェークアップ回路４の設計は、極低電力モードで用いられるプログラマブルＯＰアンプ３０に基づいている。好適な実施例においては、５０メガオームの電流セット抵抗器３１が用いられる。高速スイッチングダイオード３２、３３が、偽非平行モードで構成されて、高速の非対称（低いデューティサイクル）のウェークアップ波形を提供する。抵抗器３７及び３８は、システムの電圧レベルの１．５倍のレベルにＯＰアンプ３０をバイアスするために用いられる。抵抗器３４及びコンデンサ３５が選択されて、短時間（好適な実施例では、約１ミリ秒）の間活性状態にあり、長時間（好適な実施例では、約１秒）の間非活性状態にある発信器を提供する。発信器の信号は、受信機回路の残りの部分に正確に電力を供給可能な、一対の高い電流源論理ゲート３６、３７にストローブする。
【００１７】
　図４の結果として得られる電力ストローブ回路は、受信機回路に電力を供給するために必要な電流（１０ミリアンペア）を供給する能力を有するが、自身は、受信機が非活動状態である平均９９ミリ秒の間、わずか２マイクロアンペアを消費するのみである。
【００１８】
　図５に示すように、質問機装置は、受信機５０、マイクロコンピュータ５１、送信機５２、メモリ５３、及び必要に応じて表示装置５４、キーパッド５５、モデム５６及びケーブルインタフェース５７から構成される。これらの構成部品の全ては、受信機５０を除いて、従来の設計のものである。受信機５０は、従来のスーパーヘテロダイン設計とすることも可能であり、また、図３に示すような、ＦＥＴ修正超再生受信機とすることも可能である。
【００１９】
　本発明によれば、信号マルチパス及び他のインタフェースに対して通信の耐性を改良するために各種技術を用いることが可能である。例示の技術には、アンテナダイバーシチ、周波数ダイバーシチ、偏波ダイバーシチ及び時間ダイバーシチが含まれる。好適な実施例では、偏波ダイバーシチと空間ダイバーシチの両方を採用したアンテナ５９、６０、６１の組合わせが、受信機５０に対する前置モジュール５８において用いられる。
【００２０】
　質問機装置で用いることが可能な信号強化の第２のモードは、パラメータ強化である。例えば、効果的な送信電力は中継器を使用することで強化され、中継器からタグへの方向及び範囲を決定するために他の装置を用いることも可能である。中継器強化を実行するために、ある継電器装置を用いて、特定タグとの特別な関係を有する遠隔の質問機にタグ信号を再放送する。このようなシステムは、タグとそれらに関連する質問機との間の効果的な範囲を増加させる。範囲及び方向発見の強化は、タグと質問機の間の二方向リンクの一方の経路に音響トランスデューサを用いることにより達成可能である。音響波形は電磁波よりも遥かに遅く伝播するので、従来のエコー配置技法を用いることで、より正確な短い配置に関して用いることが可能である。さらに、複数の音響ビームを用いて、従来の三角技法を用いて方向測定を行うことが可能である。
【００２１】
　図６、図７及び図８を参照するに、本発明によれば、一括収集プロトコル又は方法を用いて、複数のサブシステムが質問機サブシステム７からのＲＦエネルギーの存在に同時に応答する状況を処理することが可能である。
【００２２】
　本発明による多くの共通適用により、質問機７の無線範囲内の全てのタグに一定の質問を行う必要がなくなる。このような適用において、全てのタグは、前述の通り、通常は低電力スタンバイモードに保持される。質問が必要な場合に、質問「ウェークアップ」信号が、質問機６２により発信される。好適な実施例おいては、この信号は６２ＫＨｚに変調されたＶＨＦ無線信号である。この信号は、好適な実施例においては、微電力操作周期、すなわち１０００ミリ秒以上の周期で発信する必要がある。ウェークアップ信号がタグ１により受信されると、マイクロコンピュータ２のリセットピンが活性化される。リセットにより、マイクロコンピュータが低電力状態からウェークアップされ、ウェークアップルーチンを初期化する。ルーチンは「Listen for Hello（呼び出しに耳を澄ませ）」７２と呼ばれる。
【００２３】
　全てのタグが状態７２になるのに十分な遅延の後に、「Hello（呼び出し）」指令が質問機により送られる。「Hello」は、応答プロトコルを開始するべく起こされた全てのタグに命令を送る信号である。図９において、「Hello」信号の好適な形式及び他の全てのデータ変更は、２５ｋＨｚを越えないデータ情報幅に対応する、８０マイクロ秒パルス及び４０又は８０マイクロスペースで構成された、パルス幅変調コードである。しかし、他のデータ変更システムを、本発明に基づいて使用することも可能である。
【００２４】
　「Hello」信号の受信により、図７のステップ７３、７４、７５に示すように、送信／認識ループが開始する。最初にステップ７３で、遅れが計算される。この遅れは、効果的に動作させるための衝突回避技法に関して、できる限りランダムである必要がある。好適な実施例においては、タグ識別アドレスによりシードされた線形再帰シーケンス発生器９０が用いられて、これらの遅れを図１０に示すように発生する。
【００２５】
　ステップ７４において、タグは識別アドレス７４を備えた遅延時間で応答し、ステップ７５で、肯定応答を待機する。この固定された「耳を澄ます周期」６４の間、質問機は、この周期の間に聞こえてきた全ての識別コードを動的データベース６５に配置する。「耳を澄ます周期」の終わりに（少なくとも１つのＩＤコードが聞こえたものと仮定する）、質問機はタグ６６に戻される受信ＩＤコードのリストを送信する。タグ信号が、ステップ６７、６８、６９に老いて受信されなかった場合には、プロセスが終了する。
【００２６】
　タグは、ステップ７５において、聞こえてくる肯定応答を集団で待機している。あるタグの固有ＩＤコードが質問機の肯定応答周期６６、７５において適切に受信された場合には、このタグをステップ７６においてスタンバイモードに戻すことが可能である。肯定応答が存在しない場合には、異なる遅れ周期で、ステップ７２、７３、７４において、タグは再びＩＤコードを質問機に送信することを試みる。
【００２７】
　識別パケットの送信時間は「耳を澄ます周期」（図７参照）に相対しているので、相互に頂部で衝突するタグ応答の可能性は小さく、処理が継続する可能性も低い。各周期の衝突の可能性は、デューティサイクル、「耳を澄ます周期」、聞こえてきたタグの数及び各送信に関する送信遅延のランダム性の程度により決定される。
【００２８】
　好適な実施例では、１００個のタグ単位当たり１回の衝突の可能性が規定される。
【００２９】
　典型的には、適切にバランスされた衝突プロトコルで、衝突の反復プロセスはほぼ二乗率で生じる。
【００３０】
　このプロセスのタイミングを、図８に図形的に示した。質問機はウェークアップ状態８１で全てのタグをウェークアップし、「Hello」指令を発信して「耳を澄ませ周期」８２を開始し、タグ８３の肯定応答を受け取り、全ての衝突が解決されるまでプロセス８４、８５、８６を反復する。
【００３１】
　上述のネットワーク設計は、さらに、以下のものを用いることにより強化可能である。A)（特殊「Hello」コードをアドレスコードに続いて送ることにより）特定タグのみをウェークアップする目標ウェークアップ。B)（タグが「耳を澄ませ周期」においてそのアドレスにメッセージを付加する）メッセージ付け。C)（質問機が特定のタグの肯定応答にメッセージを付加する）逆メッセージ付け。
【００３２】
　本発明において、衝突回避方法は、いくつかの通信パラメータに基づくランダム付けを採用可能である。好適な実施例においては、応答遅延が用いられる。しかし、この方法は、同時に、各種の周波数、位相、振幅、又は空間を藻散る個とが可能である。
【００３３】
【発明の効果】
　このように、本発明の識別及び追跡システムは、中央質問機と個々の無線送受信機タグの間で二方向通信を用いて、質問機の受信及び送信範囲内で、タグ付けされた項目を識別可能である。
【図面の簡単な説明】
【図１】
　本発明の装置の無線タグサブシステムのブロック図である。
【図２】
　本発明に基づく、セル式タグ追跡システム内の複数の質問機の使用の様子を示している。
【図３】
　図１に示されたタグ受信機のＭＥＳＦＥＴ前置回路のブロック図である。
【図４】
　図１に示された微電力ウェークアップ回路の概略図である。
【図５】
　本発明に基づく質問機サブシステムのブロック図である。
【図６】
　図５に示す質問機サブシステムに組み込まれる一括収集プロトコル
（Batch Collection Protocol）の流れ図である。
【図７】
　図１の無線タグシステムに組み込まれる一括収集プロトコルの流れ図である。
【図８】
　ランダム遅延プロセスの動作を示すタイミング図である。
【図９】
　本発明に基づく、タグと質問機サブシステムとの間の通信に関する好適なデータ形式を示している。
【図１０】
　本発明に基づく、線形再帰シーケンス発生機のある実施例の機能的ブロック図である。
【符号の説明】
１　受信機
２　マイクロコンピュータ
３　送信機
４　微電力ウェークアアップ回路
５　表示装置
６　電源
７　質問機サブシステム
８　タグ送受信機サブシステム
１０　信号」
　
（３−５−２−引用刊行物に記載された技術的事項）
（技術的事項１）
　引用刊行物の記載「【００１１】【実施例】図１には、本発明に基づく装置のブロック図が示されている。２つの主なサブシステムは、タグ送受信機サブシステム８、１２０、１３０、１４０及び質問機サブシステム７の装置からなる。・・【００１２】図２に示されるように、複数の質問機が配置されて、セル受信環境を作成するためにネットワークを構成している。各セル１５、１２、１３、１４に配置された質問機１０、１０１、１０２、１０３は、従来の設計のネットワーク１１０（有線、光ファイバ、無線リンクなど）を介してコンピュータ１１と、さらにその質問機の通信せる（「セル」の誤記と認める）内に配置された全ての無線タグと通信を行う。セル１２、１３、１４、１５は、それぞれ質問機１０１、１０２、１０３、１０を中心とする半径内に対応している。施設の周りに戦略的に配置されたこれらの質問機通信のアレイは、施設内に配置された全てのタグとの通信するために必要な通信構造を提供する。各タグから識別信号を受信すると、対応する質問機が識別コードを監視コンピュータに通信し、それによりタグを識別するだけでなく、タグの大体の位置を識別する。位置情報ではなく、識別情報だけを必要とする場合には、本発明によれば、コンピュータ１１又はネットワーク１１０なしに単一のセルシステムを用いることが可能である。」から、次の技術的事項を読み取ることができる。
　（質問機サブシステム７及びタグ送受信機サブシステム８、１２０、１３０、１４０の装置からなる２つの主なサブシステムであって、
　質問機サブシステム７が単一のセル内に配置された全てのタグ送受信機サブシステム８、１２０、１３０、１４０との通信により識別信号を受信することにより、各タグ送受信機サブシステム８、１２０、１３０、１４０を識別するサブシステム）
　
（技術的事項２）
　引用刊行物の記載「【００１８】図５に示すように、質問機装置は、受信機５０、マイクロコンピュータ５１、送信機５２、メモリ５３、及び必要に応じて表示装置５４、キーパッド５５、モデム５６及びケーブルインタフェース５７から構成される。・・・【００２１】図６、図７及び図８を参照するに、本発明によれば、一括収集プロトコル又は方法を用いて、複数のサブシステムが質問機サブシステム７からのＲＦエネルギーの存在に同時に応答する状況を処理することが可能である。【００２２】・・・このような適用において、全てのタグは、前述の通り、通常は低電力スタンバイモードに保持される。質問が必要な場合に、質問「ウェークアップ」信号が、質問機６２により発信される。好適な実施例おいては（「においては」の誤記と認める）、この信号は６２ＫＨｚに変調されたＶＨＦ無線信号である。この信号は、好適な実施例においては、微電力操作周期、すなわち１０００ミリ秒以上の周期で発信する必要がある。ウェークアップ信号がタグ１により受信されると、マイクロコンピュータ２のリセットピンが活性化される。リセットにより、マイクロコンピュータが低電力状態からウェークアップされ、ウェークアップルーチンを初期化する。ルーチンは「Listen for Hello（呼び出しに耳を澄ませ）」７２と呼ばれる。【００２３】全てのタグが状態７２になるのに十分な遅延の後に、「Hello（呼び出し）」指令が質問機により送られる。「Hello」は、応答プロトコルを開始するべく起こされた全てのタグに命令を送る信号である。図９において、「Hello」信号の好適な形式及び他の全てのデータ変更は、２５ｋＨｚを越えないデータ情報幅に対応する、８０マイクロ秒パルス及び４０又は８０マイクロスペースで構成された、パルス幅変調コードである。しかし、他のデータ変更システムを、本発明に基づいて使用することも可能である。」から、次の技術的事項を読み取ることができる。
　（質問機サブシステム７が、
　単一のセル内に配置された全てのタグ送受信機サブシステム８、１２０、１３０、１４０に、質問「ウェークアップ」信号、及び「Hello（呼び出し）」指令を発信する送信機５２を備えていること）
　
（技術的事項３）
　引用刊行物の記載「【００１１】【実施例】図１には、本発明に基づく装置のブロック図が示されている。２つの主なサブシステムは、タグ送受信機サブシステム８、１２０、１３０、１４０及び質問機サブシステム７の装置からなる。タグ送受信機サブシステム８は、質問機７からの信号１０を捕捉して復調するための受信機１と、質問機７に戻される信号９９を復調し放射するための送信機３からなる。さらに、このタグは、受信信号からのデータを処理して、通信を確認するための一括収集プロトコルを提供し、送信機３を制御するためのマイクロコンピュータ２と；電源６と；光学式表示装置５と；微電力ウェークアップ回路４からなる。ウェークアップ回路４は、所定のウェークアップ信号を受け取るまで、非常に低い電力状態にタグを保持する。表示装置５は、識別又は追跡処理についての状況情報を提供するため、又はＲＦタグ１を見ている構成員に他の情報を表示するために用いられる。・・・【００１５】図１及び図４に関して、通常は小型のバッテリーである電源６の稼働寿命を増加させるために、タグサブシステム８内の受信機モジュール１は通常は、短い時間間隔を除いて全て静止低電力状態に保持される。タグサブシステム８内の受信機モジュール１が活動状態にある短い時間間隔の間、ウェークアップモジュール４からの励起電力により、質問機７から到着するウェークアップ信号の検出が可能になる。かかる信号が検出されない場合には、タグ受信機サブシステム８は、低電力状態に戻ることにより、スリープ／ウェークアップ周期を継続する。しかし、質問機７からのＲＦエネルギーが検出された場合には、タグサブシステム８は全電力モードに変更されて、通信機７との通信に備える。・・・【００１７】図４の結果として得られる電力ストローブ回路は、受信機回路に電力を供給するために必要な電流（１０ミリアンペア）を供給する能力を有するが、自身は、受信機が非活動状態である平均９９ミリ秒の間、わずか２マイクロアンペアを消費するのみである。・・・【００２１】図６、図７及び図８を参照するに、本発明によれば、一括収集プロトコル又は方法を用いて、複数のサブシステムが質問機サブシステム７からのＲＦエネルギーの存在に同時に応答する状況を処理することが可能である。【００２２】・・・このような適用において、全てのタグは、前述の通り、通常は低電力スタンバイモードに保持される。質問が必要な場合に、質問「ウェークアップ」信号が、質問機６２により発信される。好適な実施例おいては（「においては」の誤記と認める）、この信号は６２ＫＨｚに変調されたＶＨＦ無線信号である。この信号は、好適な実施例においては、微電力操作周期、すなわち１０００ミリ秒以上の周期で発信する必要がある。ウェークアップ信号がタグ１により受信されると、マイクロコンピュータ２のリセットピンが活性化される。リセットにより、マイクロコンピュータが低電力状態からウェークアップされ、ウェークアップルーチンを初期化する。ルーチンは「Listen for Hello（呼び出しに耳を澄ませ）」７２と呼ばれる。【００２３】全てのタグが状態７２になるのに十分な遅延の後に、「Hello（呼び出し）」指令が質問機により送られる。「Hello」は、応答プロト���ルを開始するべく起こされた全てのタグに命令を送る信号である。図９において、「Hello」信号の好適な形式及び他の全てのデータ変更は、２５ｋＨｚを越えないデータ情報幅に対応する、８０マイクロ秒パルス及び４０又は８０マイクロスペースで構成された、パルス幅変調コードである。しかし、他のデータ変更システムを、本発明に基づいて使用することも可能である。【００２４】「Hello」信号の受信により、図７のステップ７３、７４、７５に示すように、送信／認識ループが開始する。最初にステップ７３で、遅れが計算される。この遅れは、効果的に動作させるための衝突回避技法に関して、できる限りランダムである必要がある。好適な実施例においては、タグ識別アドレスによりシードされた線形再帰シーケンス発生器９０が用いられて、これらの遅れを図１０に示すように発生する。【００２５】ステップ７４において、タグは識別アドレス７４を備えた遅延時間で応答し、ステップ７５で、肯定応答を待機する。この固定された「耳を澄ます周期」６４の間、質問機は、この周期の間に聞こえてきた全ての識別コードを動的データベース６５に配置する。「耳を澄ます周期」の終わりに（少なくとも１つのＩＤコードが聞こえたものと仮定する）、質問機はタグ６６に戻される受信ＩＤコードのリストを送信する。タグ信号が、ステップ６７、６８、６９に老いて（「おいて」の誤記と認める）受信されなかった場合には、プロセスが終了する。【００２６】タグは、ステップ７５において、聞こえてくる肯定応答を集団で待機している。あるタグの固有ＩＤコードが質問機の肯定応答周期６６、７５において適切に受信された場合には、このタグをステップ７６においてスタンバイモードに戻すことが可能である。肯定応答が存在しない場合には、異なる遅れ周期で、ステップ７２、７３、７４において、タグは再びＩＤコードを質問機に送信することを試みる。【００２７】識別パケットの送信時間は「耳を澄ます周期」（図７参照）に相対しているので、相互に頂部で衝突するタグ応答の可能性は小さく、処理が継続する可能性も低い。各周期の衝突の可能性は、デューティサイクル、「耳を澄ます周期」、聞こえてきたタグの数及び各送信に関する送信遅延のランダム性の程度により決定される。【００２８】好適な実施例では、１００個のタグ単位当たり１回の衝突の可能性が規定される。・・・【００３０】このプロセスのタイミングを、図８に図形的に示した。質問機はウェークアップ状態８１で全てのタグをウェークアップし、「Hello」指令を発信して「耳を澄ませ周期」（「耳を澄ます周期」の誤記と認める）８２を開始し、タグ８３の肯定応答を受け取り、全ての衝突が解決されるまでプロセス８４、８５、８６を反復する。・・・」から、次の技術的事項を読み取ることができる。
　（タグ送受信機サブシステム８、１２０、１３０、１４０は、
　質問機サブシステム７からの信号１０を捕捉して復調するための受信機１と、質問機サブシステム７に戻される信号９９を復調し放射するための送信機３からなり、
　質問機サブシステム７からの質問「ウェークアップ」信号、及び「Hello（呼び出し）」指令に応答して、タグ送受信機サブシステム８、１２０、１３０、１４０の固有ＩＤコードを、８０マイクロ秒パルス及び４０又は８０マイクロスペースで構成されたパルス幅変調コードにより、ランダムな遅延時間で送信し、
　質問機サブシステム７から戻されるタグ送受信機サブシステム８、１２０、１３０、１４０の固有ＩＤコードのリストを受信し、質問機サブシステム７からの肯定応答が存在する場合にはスタンバイモードに戻り、
　質問機サブシステム７から戻されるタグ送受信機サブシステム８、１２０、１３０、１４０の固有ＩＤコードのリストの受信により質問機サブシステム７からの肯定応答を受信するまで、質問器サブシステム７の「Hello（呼び出し）」指令に応答してタグ固有ＩＤコードを質問機サブシステム７に「耳を澄ます周期」８２、８４、８６で反復して送信すること）
　
（技術的事項４）
　引用刊行物の記載「【００２１】図６、図７及び図８を参照するに、本発明によれば、一括収集プロトコル又は方法を用いて、複数のサブシステムが質問機サブシステム７からのＲＦエネルギーの存在に同時に応答する状況を処理することが可能である。【００２２】・・・このような適用において、全てのタグは、前述の通り、通常は低電力スタンバイモードに保持される。質問が必要な場合に、質問「ウェークアップ」信号が、質問機６２により発信される。好適な実施例おいては（「においては」の誤記と認める）、この信号は６２ＫＨｚに変調されたＶＨＦ無線信号である。この信号は、好適な実施例においては、微電力操作周期、すなわち１０００ミリ秒以上の周期で発信する必要がある。ウェークアップ信号がタグ１により受信されると、マイクロコンピュータ２のリセットピンが活性化される。リセットにより、マイクロコンピュータが低電力状態からウェークアップされ、ウェークアップルーチンを初期化する。ルーチンは「Listen for Hello（呼び出しに耳を澄ませ）」７２と呼ばれる。【００２３】全てのタグが状態７２になるのに十分な遅延の後に、「Hello（呼び出し）」指令が質問機により送られる。「Hello」は、応答プロトコルを開始するべく起こされた全てのタグに命令を送る信号である。図９において、「Hello」信号の好適な形式及び他の全てのデータ変更は、２５ｋＨｚを越えないデータ情報幅に対応する、８０マイクロ秒パルス及び４０又は８０マイクロスペースで構成された、パルス幅変調コードである。しかし、他のデータ変更システムを、本発明に基づいて使用することも可能である。【００２４】「Hello」信号の受信により、図７のステップ７３、７４、７５に示すように、送信／認識ループが開始する。最初にステップ７３で、遅れが計算される。この遅れは、効果的に動作させるための衝突回避技法に関して、できる限りランダムである必要がある。好適な実施例においては、タグ識別アドレスによりシードされた線形再帰シーケンス発生器９０が用いられて、これらの遅れを図１０に示すように発生する。【００２５】ステップ７４において、タグは識別アドレス７４を備えた遅延時間で応答し、ステップ７５で、肯定応答を待機する。この固定された「耳を澄ます周期」６４の間、質問機は、この周期の間に聞こえてきた全ての識別コードを動的データベース６５に配置する。「耳を澄ます周期」の終わりに（少なくとも１つのＩＤコードが聞こえたものと仮定する）、質問機はタグ６６に戻される受信ＩＤコードのリストを送信する。タグ信号が、ステップ６７、６８、６９に老いて（「おいて」の誤記と認める）受信されなかった場合には、プロセスが終了する。【００２６】タグは、ステップ７５において、聞こえてくる肯定応答を集団で待機している。あるタグの固有ＩＤコードが質問機の肯定応答周期６６、７５において適切に受信された場合には、このタグをステップ７６においてスタンバイモードに戻すことが可能である。肯定応答が存在しない場合には、異なる遅れ周期で、ステップ７２、７３、７４において、タグは再びＩＤコードを質問機に送信することを試みる。【００２７】識別パケットの送信時間は「耳を澄ます周期」（図７参照）に相対しているので、相互に頂部で衝突するタグ応答の可能性は小さく、処理が継続する可能性も低い。各周期の衝突の可能性は、デューティサイクル、「耳を澄ます周期」、聞こえてきたタグの数及び各送信に関する送信遅延のランダム性の程度により決定される。【００２８】好適な実施例では、１００個のタグ単位当たり１回の衝突の可能性が規定される。・・・【００３０】このプロセスのタイミングを、図８に図形的に示した。質問機はウェークアップ状態８１で全てのタグをウェークアップし、「Hello」指令を発信して「耳を澄ませ周期」（「耳を澄ます周期」の誤記と認める）８２を開始し、タグ８３の肯定応答を受け取り、全ての衝突が解決されるまでプロセス８４、８５、８６を反復する。・・・」から、次の技術的事項を読み取ることができる。
　（質問機サブシステム７が、
　質問機サブシステム７による質問「ウェークアップ」信号、及び「Hello（呼び出し）」指令に応答する、タグ送受信機サブシステム８、１２０、１３０、１４０からの固有ＩＤコードが、固定された「耳を澄ます周期」６４の間に聞こえてきた場合、即ち受信された場合、
　受信されたタグ送受信機サブシステム８、１２０、１３０、１４０からの全ての固有ＩＤコードを動的データベース６５に配置し、
　「耳を澄ます周期」８２、８４、８６の終わり８３、８５に、タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信すること）
　
（３−５−３−引用刊行物に記載された発明・引用発明）
　上記（技術的事項１）〜（技術的事項４）を総合すると、引用刊行物には次の発明（以下、引用発明という）が記載されていると認められる。
「質問機サブシステム７及びタグ送受信機サブシステム８、１２０、１３０、１４０の装置からなる２つの主なサブシステムであって、
　　質問機サブシステム７が、
　単一のセル内に配置された全てのタグ送受信機サブシステム８、１２０、１３０、１４０との通信により識別信号を受信することにより、各タグ送受信機サブシステム８、１２０、１３０、１４０を識別するサブシステムであり、
　　また、質問機サブシステム７が、
　単一のセル内に配置された全てのタグ送受信機サブシステム８、１２０、１３０、１４０に、質問「ウェークアップ」信号、及び「Hello（呼び出し）」指令を発信する送信機５２を備え、
　　タグ送受信機サブシステム８、１２０、１３０、１４０は、
　質問機サブシステム７からの信号１０を捕捉して復調するための受信機１と、質問機サブシステム７に戻される信号９９を復調し放射するための送信機３からなり、
　質問機サブシステム７からの質問「ウェークアップ」信号、及び「Hello（呼び出し）」指令に応答して、タグ送受信機サブシステム８、１２０、１３０、１４０の固有ＩＤコードを、８０マイクロ秒パルス及び４０又は８０マイクロスペースで構成されたパルス幅変調コードにより、ランダムな遅延時間で送信し、
　質問機サブシステム７から戻されるタグ送受信機サブシステム８、１２０、１３０、１４０の固有ＩＤコードのリストを受信し、質問機サブシステム７からの肯定応答が存在する場合にはスタンバイモードに戻り、
　質問機サブシステム７から戻されるタグ送受信機サブシステム８、１２０、１３０、１４０の固有ＩＤコードのリストの受信により質問機サブシステム７からの肯定応答を受信するまで、質問器サブシステム７の「Hello（呼び出し）」指令に応答してタグ固有ＩＤコードを質問機サブシステム７に「耳を澄ます周期」８２、８４、８６で反復して送信するものであって、
　　さらに、質問機サブシステム７が、
　質問機サブシステム７による質問「ウェークアップ」信号、及び「Hello（呼び出し）」指令に応答する、タグ送受信機サブシステム８、１２０、１３０、１４０からの固有ＩＤコードが、固定された「耳を澄ます周期」６４の間に聞こえてきた場合、即ち受信された場合、
　受信されたタグ送受信機サブシステム８、１２０、１３０、１４０からの全ての固有ＩＤコードを動的データベース６５に配置し、
　「耳を澄ます周期」８２、８４、８６の終わり８３、８５に、タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信するものである、
　質問機サブシステム７及びタグ送受信機サブシステム８、１２０、１３０、１４０の装置からなる２つの主なサブシステム。」
　
（３−５−４−対比）
　本願補正発明と引用発明とを対比する。
（対比１）
　まず、両発明の主要構成要素を比較すると、引用発明の「質問機サブシステム７」は、本願補正発明の「一台の質問機」に相当し、また引用発明の「タグ送受信機サブシステム８、１２０、１３０、１４０」は、本願補正発明の「複数のトランスポンダ」に相当する。
　
（対比２）
　引用発明の「質問機サブシステム７が、単一のセル内に配置された全てのタグ送受信機サブシステム８、１２０、１３０、１４０との通信により識別信号を受信することにより、各タグ送受信機サブシステム８、１２０、１３０、１４０を識別するサブシステム」であることと、本願補正発明の「電子身元確認システム」とを比較する。
　引用発明においては、質問機サブシステム７とタグ送受信機サブシステム８、１２０、１３０、１４０との通信により、複数のタグ送受信機サブシステムの識別が質問機サブシステム７により成されているから、本願補正発明の「電子身元確認システム」とは、表現上の相違は有るにしても、引用発明の「通信により」「識別するサブシステム」は、本願補正発明の「電子身元確認システム」に、技術思想上の相当関係に有る。
　
（対比３）
　引用発明の「質問機サブシステム７が、単一のセル内に配置された全てのタグ送受信機サブシステム８、１２０、１３０、１４０に、質問「ウェークアップ」信号、及び「Hello（呼び出し）」指令を発信する送信機５２を備え」ることと、本願補正発明の「該質問機は、該トランスポンダに質問信号を送信するための送信手段を備え」ることとを比較する。
　引用発明の「質問「ウェークアップ」信号、及び「Hello（呼び出し）」指令」は、本願補正発明の「質問信号」に相当し、また引用発明の「送信機５２」は、本願補正発明の「送信手段」に相当する。
　よって、上記（対比１）の相当関係も踏まえると、上記（対比３）の箇所に関し、両発明の発明特定事項について相当関係が有る。
　
（対比４）
　引用発明の「タグ送受信機サブシステム８、１２０、１３０、１４０は、質問機サブシステム７からの信号１０を捕捉して復調するための受信機１と、質問機サブシステム７に戻される信号９９を復調し放射するための送信機３からなり、質問機サブシステム７からの質問「ウェークアップ」信号、及び「Hello（呼び出し）」指令に応答して、タグ送受信機サブシステム８、１２０、１３０、１４０の固有ＩＤコードを、８０マイクロ秒パルス及び４０又は８０マイクロスペースで構成されたパルス幅変調コードにより、ランダムな遅延時間で送信し、質問機サブシステム７から戻されるタグ送受信機サブシステム８、１２０、１３０、１４０の固有ＩＤコードのリストを受信し、質問機サブシステム７からの肯定応答が存在する場合にはスタンバイモードに戻り、質問機サブシステム７から戻されるタグ送受信機サブシステム８、１２０、１３０、１４０の固有ＩＤコードのリストの受信により質問機サブシステム７からの肯定応答を受信するまで、質問器サブシステム７の「Hello（呼び出し）」指令に応答してタグ固有ＩＤコードを質問機サブシステム７に「耳を澄ます周期」８２、８４、８６で反復して送信するものであ」ることとと、本願補正発明の「各トランスポンダは、該トランスポンダの特性を含むランダムな署名を発生するための乱数発生手段と、該質問信号に応えて、該ランダムな署名を含む応答信号を間欠的に送信するための送信手段とを備え」ることとを比較する。
　
　本願補正発明の「該トランスポンダの特性を含むランダムな署名を発生するための乱数発生手段」について考察する。
　本願明細書翻訳文の段落【００２６】に「・・・乱数発生器３５は、トランスポンダに対する一意の署名を発生するための署名発生器３７、・・・、としての働きをするか、機能を行う。・・・」と記載され、段落【００２８】に「各トランスポンダからの応答は、間欠的に反復される応答信号１８を含み、各信号は、・・・、署名またはＩＤコード２６、・・・を含む。・・・」と記載され、段落【００３２】に「・・・各トランスポンダは、一意のＩＤコードを持っているので、・・・」と記載され、段落【００３３】に「・・・さらに、乱数発生器３５、３７も、トランスポンダに対してＩＤコード２６を発生する。トランスポンダが電力の供給を受けている間は、署名は変化しないが、電力供給が中断した後で再開された場合には、発生器は、他のランダムな署名を発生する。」と記載されている。
　よって、本願補正発明の「該トランスポンダの特性を含むランダムな署名を発生するための乱数発生手段」とは、複数のトランスポンダを相互に識別するため信号としての一意の署名やＩＤコードを発生するための手段として作用・機能するものである。
　そうすると、本願補正発明の「該トランスポンダの特性を含むランダムな署名」と、引用発明の「タグ送受信機サブシステム８、１２０、１３０、１４０の固有ＩＤコード」とは、上記（対比１）も踏まえると、複数のトランスポンダを相互に識別するため信号である点で共通するものである。
　また、引用発明において「タグ送受信機サブシステム８、１２０、１３０、１４０の固有ＩＤコード」を発生するための手段を「タグ送受信機サブシステム８、１２０、１３０、１４０」が備えていることが前提であることは明らかである。
　
　さらに、上記（対比１）及び（対比３）を踏まえると、引用発明においても「タグ送受信機サブシステム８、１２０、１３０、１４０」は「質問器サブシステム７の「Hello（呼び出し）」指令に応答してタグ固有ＩＤコードを質問機サブシステム７に「耳を澄ます周期」８２、８４、８６で反復して送信するもの」であるから、本願補正発明と同様に「各トランスポンダ」は「該質問信号に応えて」「応答信号を間欠的に送信する」ものであると言える。そして、引用発明の「送信機３」は、本願補正発明の「応答信号を間欠的に送信するための送信手段」に相当する。
　
（対比５）
　引用発明の「さらに、質問機サブシステム７が、質問機サブシステム７による質問「ウェークアップ」信号、及び「Hello（呼び出し）」指令に応答する、タグ送受信機サブシステム８、１２０、１３０、１４０からの固有ＩＤコードが、固定された「耳を澄ます周期」６４の間に聞こえてきた場合、即ち受信された場合、受信されたタグ送受信機サブシステム８、１２０、１３０、１４０からの全ての固有ＩＤコードを動的データベース６５に配置し、「耳を澄ます周期」８２、８４、８６の終わり８３、８５に、タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信するものである」ことと、本願補正発明の「該質問機が、さらに、該トランスポンダの中の一台から応答信号を受信した場合に、該質問機の送信手段により送信される受信通知信号であって、一台のトランスポンダの該ランダムな署名を含む受信通知信号を発生し、それによって該一台のトランスポンダに該応答信号の受信を通知するための受信通知信号発生手段を備える」こととを、上記（対比１）〜（対比４）を踏まえつつ比較する。
　
　引用発明の「質問機サブシステム７が、・・・タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信するものである」ことは、質問機サブシステム７が、質問機サブシステム７の質問信号や呼び出し指令に応答したタグ送受信機サブシステムが一台の場合には、応答したその一台のタグ送受信機サブシステムに対応する固有ＩＤコードを、応答したその一台のタグ送受信機サブシステムに戻すように送信することを想定していることが明らかである。これは、引用発明を開示した引用刊行物の【図８】において「耳を澄ます周期８２」の終わり「８３」で「肯定応答タグ１」のみが、「質問機」からの信号として記されていることからも裏付けられる。そして、この場合、応答したその一台のタグ送受信機サブシステムに戻されるそのタグ送受信機サブシステムに対応する固有ＩＤコードは、質問機サブシステム７が、質問機サブシステム７の質問信号や呼び出し指令に応答したその一台のタグ送受信機サブシステムからの応答信号の受信を通知するものに外ならない。　
　さらに、引用発明において、タグ送受信機サブシステム８、１２０、１３０、１４０からの応答信号は、対応する固有ＩＤコードとして、質問機サブシステム７内の動的データベース６５に配置されて（即ち記憶されて）、受信通知信号として応答したタグ送受信機サブシステムに送信されるから、引用発明の「動的データベース６５」は、本願補正発明の「受信通知信号発生手段」に相当するものとも言える。
　
　そうすると、「受信通知信号」が「ランダムな署名を含む」ものであるか否かを除けば、引用発明の「さらに、質問機サブシステム７が、質問機サブシステム７による質問「ウェークアップ」信号、及び「Hello（呼び出し）」指令に応答する、タグ送受信機サブシステム８、１２０、１３０、１４０からの固有ＩＤコードが、固定された「耳を澄ます周期」６４の間に聞こえてきた場合、即ち受信された場合、受信されたタグ送受信機サブシステム８、１２０、１３０、１４０からの全ての固有ＩＤコードを動的データベース６５に配置し、「耳を澄ます周期」８２、８４、８６の終わり８３、８５に、タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信するものである」ことは、本願補正発明の「該質問機が、さらに、該トランスポンダの中の一台から応答信号を受信した場合に、該質問機の送信手段により送信される受信通知信号であって、一台のトランスポンダの」「受信通知信号を発生し、それによって該一台のトランスポンダに該応答信号の受信を通知するための受信通知信号発生手段を備える」ことも包含するものであると言える。
　
（３−５−５−両発明の一致点及び相違点）
　上記（対比１）〜（対比５）を総合して、両発明の一致点を本願補正発明の表現を優先して記載すると、両発明の一致点は次のとおりである。
　
（一致点）
「一台の質問機と複数のトランスポンダとを備える電子身元確認システムであって、
　該質問機は、該トランスポンダに質問信号を送信するための送信手段を備え、
　各トランスポンダは、
　　該複数のトランスポンダを相互に識別するための信号を発生する手段と、
　　該質問信号に応えて、該複数のトランスポンダを相互に識別するための信号を含む応答信号を間欠的に送信するための送信手段とを備え、
　該質問機が、
　さらに、該トランスポンダの中の一台から応答信号を受信した場合に、該質問機の送信手段により送信される受信通知信号であって、一台のトランスポンダの該複数のトランスポンダを相互に識別するための信号を含む受信通知信号を発生し、それによって該一台のトランスポンダに該応答信号の受信を通知するための受信通知信号発生手段を備える電子身元確認システム。」
　
　上記（対比１）〜（対比５）を総合すると、両発明の相違点は次のとおりである。
（相違点１）
　「複数のトランスポンダを相互に識別するための信号を発生する手段」が、本願補正発明では「ランダムな署名を発生するための乱数発生手段」であるのに対し、引用発明では「固有ＩＤコードを発生する手段」である点。
　
（相違点２）
　「該質問信号に応えて、該複数のトランスポンダを相互に識別するための信号を含む応答信号を間欠的に送信するための送信手段」が、本願補正発明では「ランダムな署名を含む応答信号」を送るものであるのに対し、引用発明では「固有ＩＤコード」を含む応答信号を送るものである点。
　
（相違点３）
　「受信通知信号」が、本願補正発明では「ランダムな署名を含む」ものであるのに対し、引用発明では「固有ＩＤコード」である点。
　
（３−５−６−判断）
　上記（相違点１）〜（相違点３）について検討する。
　
（相違点１について）
　一般に、引用発明の属する技術分野である「一台の質問機と複数のトランスポンダとを備える電子身元確認システム」において、複数のトランスポンダを相互に識別するため信号を発生するための手段として「乱数発生手段」を各トランスポンダに設けることは、本願優先日前の周知技術である（以下、「周知技術」という）。
　この点については、例えば、前置報告書で周知技術であるとして引用された特開平１０−２６８０４４号公報の段落【００４９】の記載「また上記実施形態では、応答装置２が有する識別情報が全て異なっていることを前提として説明しているが、同一の識別情報を有する応答装置２が複数存在する場合にも本発明の適用が可能である。ただしこの場合、同一の識別情報を有する応答装置２をそれぞれ区別する必要があるため、応答装置２のそれぞれに乱数発生手段を備え、この乱数発生手段が発生する乱数を識別情報に付加するようにする。図８はその一例を示す図であり、（ａ）に示す識別情報を有する応答装置２が２つ存在するが、一方の応答装置２の乱数発生手段は「１１」なる乱数を発生したために（ｂ）に示すような情報を応答情報に示し、また他方の応答装置２の乱数発生手段は「００」なる乱数を発生したために（ｃ）に示すような情報を応答情報に示す状態を示している。このようにすれば、上記実施形態における動作によって、図９に示すように２つの応答装置を区別して応答情報の取込みを行うことができる。」や、特開平９−２５１０７６号公報の段落【００２２】の記載「第１の実施形態　図２は本発明の第１の実施形態を示すトランスポンダのコード発生器の構成を示すブロック図を示す。図２に示すコード発生器１００は、商品情報等を示す識別コードを記憶しており、これを出力する識別コード記憶回路１１０と、継続的に乱数を発生させ、この乱数を８ビットの疑似ランダムコードとして出力する乱数発生器１２０と、識別コード記憶回路１１０から入力された識別コードおよび乱数発生器１２０から入力された疑似ランダムコードの組に対応した誤り検出コードを発生する誤り検出コード発生器１３０と、直流電源が供給される電源端子１５０を有し、識別コードと疑似ランダムコードと誤り検出コードを含んだ応答コード１４０を出力する。」を参照のこと。
　
　引用発明の「固有ＩＤコードを発生する手段」は、複数のトランスポンダを相互に識別するため信号を発生するための手段であるから、これを本願優先日前の上記周知技術の「乱数発生手段」で置き換えることに、積極的動機付けまでは見いだせないものの何ら阻害要因は存在せず、当業者ならば適宜選択し得る選択肢の一つであって容易に成し得たことである。
　そして、引用発明の「固有ＩＤコードを発生する手段」として「乱数発生手段」を採用した場合には、この「乱数発生手段」から発生する信号は、本願補正発明の「トランスポンダの特性を含むランダムな署名」に対応するものとなることは明らかである。
　
（相違点２について）
　上記（相違点１について）で検討したように、引用発明の「固有ＩＤコードを発生する手段」として本願優先日前の周知技術である「乱数発生手段」を採用した場合には、この「乱数発生手段」から発生する信号は、本願補正発明の「トランスポンダの特性を含むランダムな署名」に対応するものとなり、引用発明の「固有ＩＤコード」を含む応答信号は、本願補正発明のように「ランダムな署名を含む応答信号」に対応するものになることは明らかである。
　
（相違点３について）
　上記（３−５−４−対比）の（対比５）にも記したように、引用発明の「質問機サブシステム７が、・・・タグ送受信機サブシステム８、１２０、１３０、１４０に戻されるように、質問機サブシステム７によって受信されたタグ送受信機サブシステム８、１２０、１３０、１４０からの全ての固有ＩＤコードのリストを送信するものである」ことは、質問機サブシステム７が、質問機サブシステム７の質問信号や呼び出し指令に応答したタグ送受信機サブシステムが一台の場合でも、応答したその一台のタグ送受信機サブシステムに対応する固有ＩＤコードを、応答したその一台のタグ送受信機サブシステムに戻すように送信することを想定していることが明らかである。これは、引用発明を開示した引用刊行物の【図８】において「耳を澄ます周期８２」の終わり「８３」で「肯定応答タグ１」のみが、「質問機」からの信号として記されていることからも裏付けられる。そして、この場合、応答したその一台のタグ送受信機サブシステムに戻されるそのタグ送受信機サブシステムに対応する固有ＩＤコードは、質問機サブシステム７が、質問機サブシステム７の質問信号や呼び出し指令に応答したその一台のタグ送受信機サブシステムからの応答信号の受信を通知するものに外ならない。
　そうすると、上記（相違点１について）及び（相違点２について）でも述べたように、引用発明の「固有ＩＤコードを発生する手段」として本願優先日前の周知技術である「乱数発生手段」を採用した場合には、この「乱数発生手段」から発生する信号は、本願補正発明の「トランスポンダの特性を含むランダムな署名」に対応するものとなり、引用発明の「固有ＩＤコード」を含む応答信号は、本願補正発明のように「ランダムな署名を含む応答信号」に対応するものになり、さらに、引用発明の「固有ＩＤコード」を含む「受信通知信号」が、本願補正発明のように「ランダムな署名を含む」「受信通知信号」になることは明らかである。
　
（本願補正発明の作用効果を加味した総合評価）
　本願補正発明の作用効果は、引用発明及び周知技術から当業者が予測可能なものであって格別のものではない。
　結局、（相違点１）〜（相違点３）は、何れも、引用発明に本願優先日前の上記周知技術を採用することにより、当業者が容易に成し得たものである。
　
（３−５−７−審判請求人の主張について）
　審判請求人は、審判請求の理由において、主として、本願補正発明は、複数のトランスポンダの署名がそのトランスポンダでランダムに生成される点に特徴がある旨主張している。
　これについては、上記（３−５−６−判断）の（相違点１について）〜（相違点３について）で判断したとおり、この点に進歩性を認めるに足りる特徴を見いだすことはできない。
　
　また、審判請求人は、審尋に対する回答書において、本願補正発明の受信通知信号は、複数のトランスポンダに応答して提供されるものではなく、むしろ、単一のトランスポンダから受信した単一の応答に応答するものであり、引用発明のように固定の持続期間のウィンドウが閉じるまで待機するのとは対照的に、本願補正発明のシステムは、個別に応答することにより、有効な応答を受信すると即時にトランスポンダを計数し沈黙する結果、引用発明において用いられている大量のアプローチとは対照的に、複数のトランスポンダの迅速且つ個々の沈黙が実行されるため、一台の質問機と複数のトランスポンダとの相互作用のタイミングは、引用発明と本願補正発明とでは異なる旨主張している。
　しかしながら、この点に関しては、上記（３−５−４−対比）の（対比５）及び、上記（３−５−６−判断）の（相違点３について）で述べたこととも関連するが、本願補正発明を特定する事項として「該質問機が、さらに、該トランスポンダの中の一台から応答信号を受信した場合に、該質問機の送信手段により送信される受信通知信号であって、一台のトランスポンダの該ランダムな署名を含む受信通知信号を発生し、それによって該一台のトランスポンダに該応答信号の受信を通知するための受信通知信号発生手段を備える」とあるように、一台のトランスポンダからの応答信号を質問機がその一台のトランスポンダに受信通知信号として返信することが特定されているにとどまり、質問機と一台のトランスポンダがロックされて質問機とトランスポンダとの一対一対応の送受信関係が構築されることと、その送受信関係ロックによる有効時間内に受信通知信号が受信完了することまでが特定されているわけではない。
　よって、本願補正発明の発明特定事項が不十分なため、引用発明との差異が進歩性を肯定するに足りるものとなっていないから、審判請求人のこの主張も採用できない。
　
（３−５−８−独立特許要件・進歩性欠如について）
　上記のとおり、本願補正発明は、引用発明及び周知技術に基づいて当業者が容易に発明をすることができたものであるから、特許法第２９条第２項の規定により特許出願の際独立して特許を受けることができないものである。　
（３−６−本件補正の適否について）
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するものであり、特許法第１５９条第１項の規定において読み替えて準用する同法第５３条第１項の規定により却下すべきものである。
　
【４−本願発明について】
　平成２２年５月１２日付けの手続補正は、上記のとおり却下されるので、本願の請求項１〜１７に係る発明は、平成２１年６月２６日付け手続補正により補正された明細書及び図面の記載からみて、その特許請求の範囲の請求項１〜１７に記載された事項により特定されるとおりのものと認められるところ、本願の請求項１に係る発明（以下、「本願発明」という。）は、上記【３−本件補正の適否、本願補正発明】の（３−１−本件補正前の特許請求の範囲）の【特許請求の範囲】の【請求項１】に記載されたとおりのものである。
　
（４−１−引用刊行物）
　原査定の拒絶の理由に引用された引用刊行物の記載事項及び引用発明は、上記（３−５−１−引用刊行物に記載された事項）及び（３−５−３−引用刊行物に記載された発明・引用発明）に記載したとおりのものである。
　
（４−２−本願発明と引用刊行物に記載された発明との対比・判断
　本願発明は、上記（３−３−本件補正の内容について）で検討した本願補正発明の発明特定事項から発明を特定するために必要な事項についての限定を省いたもので、本願発明と引用発明とは、「一意の署名」と「個別ＩＤコード」に代表される文言上の差異は有るにしても、上記（３−５−５−両発明の一致点及び相違点）の（一致点）に記した点において実質的に一致している。
　そうすると、本願発明は、引用発明に基づいて当業者が容易に発明をすることができたものであると言わなければならない。
　
（４−３−むすび）
　以上のとおりであるから、本願発明は、特許法第２９条第２項の規定により特許を受けることができないものである。
　そして、本願発明（請求項１に係る発明）が特許を受けることができないものであるから、その他の請求項２〜１７に係る発明について検討するまでもなく、本願は、拒絶すべきものである。
　よって、結論のとおり審決する。